Podtech/llm-jp-corpus-v4-ja_patent huggingface dataset:
(57)【要約】【課題】Ａ／Ｄ変換器が扱える電圧の範囲（ダイナミックレンジ）、分解能はそのリファレンスレベルとビット数により固定されてしまうため、分解能を小さくするためにはリファレンスレベルを小さくするかビット数を大きくする方法がある。しかし、リファレンスレベルを小さくすれば分解能も小さくできるものの、扱える最大電圧も小さくなってしまうという問題が発生する。また、ビット数を大きくするとは、回路の規模や精度等の点で問題が発生する。これらの問題を発生させることなく、分解能を小さくできるようにすることを目的とする。【解決手段】扱おうとする入力信号のレベルに合わせて（適切な演算処理により）、リファレンスレベルを可変することで、Ａ／Ｄ変換器の分解能を最適な値に設定する。例えば、入力信号のレベルが小さいときには、リファレンスレベルを小さくすることで、Ａ／Ｄ機器の分解能を小さくする。【選択図】      図１
2004222097.tif 000002
【特許請求の範囲】
【請求項１】
Ａ／Ｄ変換処理で得られた値をもとに適切なリファレンスレベルを算出するデータ処理部とリファレンスレベル可変する手段を持つＡ／Ｄ変換器。
【発明の詳細な説明】
【０００１】
【発明の属する技術分野】
本発明は各種電子機器でＡ／Ｄ変換器を使用する際の使用方法に関するものである。
【０００２】
【従来の技術】
従来技術によるＡ／Ｄ変換器の一例のブロック図を図２に示す。
【０００３】
ここで、Ａ／Ｄ変換器２のビット数Ｎとリファレンスレベル４は固定である。アナログ入力１の取り得る電圧は、リファレンスレベル４以下である。よって、
Ａ／Ｄ変換器の分解能＝リファレンスレベル／２Ｎ（Ｎはビット数）
Ａ／Ｄ変換器の最大入力電圧＝リファレンスレベル×（２Ｎ  −１）／２Ｎ  
となる。すなわち、ダイナミックレンジは、１：２Ｎ  −１に固定される。
【０００４】
【発明が解決しようとする課題】
前述の従来技術では、得られる分解能およびダイナミックレンジは、リファレンスレベルとＡ／Ｄ変換器のビット数により一義的に決まってしまう。更に高い分解能を得るためには、ビット数の大きいＡ／Ｄ変換器を使用するしかないが、ビット数の大きいＡ／Ｄ変換器を使用した場合、この方法は回路の規模や精度等の点で問題が生じる。この問題を解決することを目的とする。
【０００５】
【課題を解決するための手段】
扱おうとする入力信号のレベルに合わせてリファレンスレベルを可変することで、Ａ／Ｄ変換器の分解能をダイナミックに制御する。この際、Ａ／Ｄ変換器のディジタル出力をデータ処理部に入力し適切なデータ処理を行うことで、対象となるＡ／Ｄ変換器のリファレンスレベルを適切な値に設定する。
【０００６】
【発明の実施の形態】
図１は本発明の一実施例であるリファレンス制御Ａ／Ｄ変換器の構成を示すブロック図である。
【０００７】
２はＡ／Ｄ変換器、１，３，４はそれぞれＡ／Ｄ変換器２のアナログ入力、ディジタル出力、リファレンスレベルである。５はデータ処理部である。６はＤ／Ａ変換器、７，８，９はそれぞれＤ／Ａ変換器６のディジタル入力、アナログ出力、リファレンスレベルである。Ｄ／Ａ変換器６のアナログ出力８は、Ａ／Ｄ変換器２のリファレンスレベル４として使用される。Ａ／Ｄ変換器２のディジタル出力３が最終的に得ようとするＡ／Ｄ変換出力である。
【０００８】
アナログ出力８の取り得る電圧は、Ｄ／Ａ変換器６のビット数Ｎとリファレンスレベル９で決まる。例えば、ビット数が８ビット、リファレンスレベル４が５Ｖの場合、ディジタル出力８の分解能は、１９．５ｍＶ（５／２８）となる。
【０００９】
ここで、Ｄ／Ａ変換器６のディジタル入力７をデータ処理部５から制御することでアナログ出力８（すなわちＡ／Ｄ変換器２のリファレンスレベル４）を可変する。例えば、リファレンスレベル４を１Ｖとすると、ディジタル出力３の分解能は、３．９ｍＶ（１／２８）となる。
【００１０】
上記の例では、アナログ入力１の最大値が１Ｖ以下の場合は、リファレンスレベル４を１Ｖに設定すれば、３．９ｍＶという細かい分解能でディジタル出力３を得ることができる。
【００１１】
また、更に高電圧の信号が入力される可能性が有る場合は、例えばリファレンスレベル４を５Ｖに設定すれば、（分解能は１９．５ｍＶと大きくなってしまうが）最大約５Ｖの入力に対応することができる。
【００１２】
このように、入力されうる最大電圧に応じてリファレンスレベル４を最適に設定すれば、より最適な分解能での（すなわち、より正確な値での）Ａ／Ｄ変換が可能となる。
【００１３】
実際運用にあたっては、データ処理部５がディジタル出力３（すなわちアナログ入力１）を監視し、その最大値を下回らない範囲でなるべく低い値をディジタル入力７（すなわちＡ／Ｄ変換器２のリファレンスレベル４）に出力するよう、適切な予測演算を行うことで上記の処理が実現する。
【００１４】
【発明の効果】
本発明によれば、回路規模を大きくすることなく最適な分解能のＡ／Ｄ変換器を提供することができる。
【図面の簡単な説明】
【図１】本発明の一実施例であるリファレンス制御Ａ／Ｄ変換器の構成を示すブロック図。
【図２】従来の一例であるＡ／Ｄ変換器の構成を示すブロック図。
【符号の説明】
１：Ａ／Ｄ変換器２のアナログ入力、２：Ａ／Ｄ変換器、３：Ａ／Ｄ変換器２のディジタル出力、４：Ａ／Ｄ変換器２のリファレンスレベル、５：データ処理部、６：Ｄ／Ａ変換器、７：Ｄ／Ａ変換器６のディジタル入力、８：Ｄ／Ａ変換器６のアナログ出力、９：Ｄ／Ａ変換器６のリファレンスレベル
【図１】
2004222097.tif 000003
【図２】
2004222097.tif 000004
(57)【要約】【課題】ＭＣＡ方式の無線システムにおける移動局無線機は、待受時の周波数が常時制御局からの制御チャネル受信のための周波数であるため、自局が制御局の無線回線エリア外に位置する他の無線局に対して呼出動作を行う際には手動により自局の周波数を切替可能であるが、受信に関しては常時受信できる状態ではないという欠点がある。この欠点を除去することを目的とする。【解決手段】制御局からの制御チャネル周波数受信用の受信機と制御局の無線回線エリア外に位置する他の無線局からの回線接続要求受信用の受信機を実装させることにより、上記欠点を除去する。【選択図】      図１
2004222099.tif 000002
【特許請求の範囲】
【請求項１】
制御局が回線接続制御を行うマルチ・チャネルアクセス方式（以下、ＭＣＡ方式）システムにおいて、制御局からの制御チャネル周波数と制御局の無線回線エリア外に位置する他の無線局からの別の周波数を同時に受信することを特徴とした無線機。
【請求項２】
請求項１記載の無線機において、制御局からの制御チャネル周波数によるチャネル指定を受信した際には制御局に対して回線接続動作を行い、制御局の無線回線エリア外に位置する他の無線局からの回線接続要求を受信した際には当該無線局に対して回線接続動作を行うことを特徴とした無線機。
【請求項３】
請求項１記載の無線機において、制御局からの制御チャネル周波数による受信状態および制御局の無線回線エリア外に位置する他の無線局との受信状態においてダイバシチ方式による受信動作を行うことを特徴とした無線機。
【発明の詳細な説明】
【０００１】
【発明の属する技術分野】
本発明は、ＭＣＡ方式の無線システムにおける移動局無線機に関するものである。
【０００２】
【従来の技術】
従来のＭＣＡ方式の無線システムにおける移動局無線機について図３により説明する。
【０００３】
送信部３および受信部４は常時制御チャネル周波数による回線接続動作を行うための待受状態にあり、送受信アンテナ６、アンテナ切替部２を介して受信部４により制御局からの制御チャネル周波数を受信すると、チャネル制御部１は送信部３に対して制御チャネル周波数による回線接続動作を指定する。
【０００４】
制御局の無線回線エリア外に位置する他の無線局からの回線接続要求を受信する際には、手動によりチャネル切替操作を行うことにより、チャネル制御部１は送信部３および受信部４に対して制御局の無線回線エリア外に位置する他の無線局との回線接続を行うための待受チャネルへ移行させる。
【０００５】
【発明が解決しようとする課題】
従来のＭＣＡ方式の無線システムにおける移動局無線機は、待受時の周波数が常時制御局からの制御チャネル受信のための周波数であるため、自局が制御局の無線回線エリア外に位置する他の無線局に対して呼出動作を行う際には手動により自局の周波数を切替可能であるが、受信に関しては常時受信できる状態ではないという欠点がある。この欠点を除去することを目的とする。
【０００６】
【課題を解決するための手段】
本発明は、上記欠点を除去するため、１台の無線機に制御局からの制御チャネル周波数受信用の受信部と制御局の無線回線エリア外に位置する他の無線局からの回線接続要求受信用の受信部を実装させるようにしたものである。
【０００７】
【発明の実施の形態】
以下、ＭＣＡ方式システムにおける本発明の第１の実施例である移動局無線機について、図１により説明する。
【０００８】
チャネル制御部１、アンテナ切替部２、送信部３、２つの受信部４および受信部５、送受信アンテナ６および分配器７により構成される。
【０００９】
送受信アンナテ６、アンテナ切替部２および分配器７を介して受信部４により制御局からの制御チャネル周波数を受信すると、チャネル制御部１は送信部３に対して制御チャネル周波数を指定し、送信部３はアンテナ切替部２および送受信アンテナ６を介して制御局に対して回線接続動作を行う。
【００１０】
送受信アンテナ６、アンテナ切替部２および分配器７を介して受信部５により制御局の無線回線エリア外に位置する他の無線局からの回線接続要求を受信すると、チャネル制御部１は送信部３に対して当該無線局に対しての回線接続用周波数を指定し、送信部３はアンテナ切替部２および送受信アンテナ６を介して当該無線局に対して回線接続動作を行う。
【００１１】
以下、ダイバシチ方式による本発明の第２の実施例である移動局無線機について説明する。
【００１２】
チャネル制御部１、アンテナ切替部２、送信部３、２つの受信部４および受信部５、送受信アンテナ６および受信アンテナ８により構成される。
【００１３】
送受信アンテナ６およびアンテナ切替部２を介して受信部４により制御局からの制御チャネル周波数を受信すると、チャネル制御部１は送信部３および受信部５に対して制御局との制御チャネル周波数を指定し、送信部３はアンテナ切替部２および送受信アンテナ６を介して制御局に対して回線接続動作を行うが、回線接続動作状態における受信時は、送受信アンテナ６、アンテナ切替部２を介した受信部４と、受信アンテナ８を介した受信部５により同時に受信するダイバシチ方式による受信動作を行う。
【００１４】
同様に、受信アンテナ８を介して受信部５により制御局の無線回線エリア外に位置する他の無線局からの回線接続要求を受信すると、チャネル制御部１は送信部３および受信部４に対して当該無線局に対しての回線接続用周波数を指定し回線接続動作を行うが、回線接続動作状態における受信時は、送受信アンテナ６、アンテナ切替部２を介した受信部４と、受信アンテナ８を介した受信部５により同時に受信するダイバシチ方式による受信動作を行う。
【００１５】
【発明の効果】
本発明によれば、制御局からの回線接続要求を待ち受けるためのチャネルと制御局の無線回線エリア外に位置する他の無線局からの回線接続要求を待ち受けるためのチャネルの指定を手動で切り替えるという欠点を解消できる。
【００１６】
また、本発明による回線接続動作状態をダイバシチ方式とすることにより回線接続制御の安定化に効果がある。
【図面の簡単な説明】
【図１】本発明の第１の実施例である移動局無線機の構成を示すブロック図。
【図２】本発明の第２の実施例であり、ダイバシチ方式による回線接続を行う移動局無線機の構成を示すブロック図。
【図３】従来の一例である移動局無線機の構成を示すブロック図。
【符号の説明】
１：チャネル制御部、２：アンテナ切替部、３：送信部、４：受信部、５：受信部、６：送受信アンテナ、７：分配器、８：受信アンテナ
【図１】
2004222099.tif 000003
【図２】
2004222099.tif 000004
【図３】
2004222099.tif 000005
(57)【要約】【目的】画像処理による水晶振動子と実装基板との位置決め精度を確実にして位置ずれのない表面実装用の水晶発振器を提供する。【構成】水晶振動子の底面に設けられた外部端子と実装基板の上面に設けられた外部受端子とを接合してなる表面実装用の水晶発振器において、前記外部端子又は外部受端子以外に少なくとも２個のマーカとしての基準端子を、前記水晶振動子の底面又は実装基板の上面の例えば両長辺の中央領域に設けた構成とする。【選択図】図１
2004222081.tif 000002
【特許請求の範囲】
【請求項１】
水晶振動子の底面に設けられた外部端子と実装基板の上面に設けられた外部受端子とを接合してなる表面実装用の水晶発振器において、前記外部端子又は外部受端子以外に少なくとも２個のマーカを前記水晶振動子の底面又は実装基板の上面に設けたことを特徴とする表面実装用の水晶発振器。
【発明の詳細な説明】
【０００１】
【発明の属する技術分野】
本発明は表面実装用の水晶発振器（以下、表面実装発振器とする）を産業上の技術分野とし、特に接合型とした表面実装発振器の位置決めに関する。
【０００２】
【従来の技術】
（発明の背景）表面実装発振器は周波数及び時間の基準源として各種の電子機器に内蔵される。近年では各種タイプのものがあり、このようなものの一つに水晶振動子と実装基板とを接合した表面実装発振器がある。
【０００３】
（従来技術の一例）第２図は一従来例を説明する図で、同図（ａ）は表面実装発振器の組立て断面図、同図（ｂ）は実装基板の平面図である。
表面実装発振器は水晶振動子１と実装基板２とからなる。水晶振動子１は積層セラミックからなる容器本体３の凹部内に水晶片４を収容し、カバー５を接合して密閉封入してなる。容器本体３は底面の４隅部に外部端子６を有する。
【０００４】
水晶片４は図示しない励振電極から引出電極の延出した一端部両側を容器内底面に固着する。そして、一組の対角部の外部端子６と積層面及び側面を経て電気的に接続する。カバー５は金属とし、容器本体３の上面に設けられた金属リング（未図示）にシーム溶接によって接合する。そして、他組の対角部の外部端子６と側面を経て電気的に接続する。
【０００５】
実装基板２は同様に積層セラミックからなり、発振回路を構成するＩＣチップ７を凹部内に収容する。そして、上面となる閉塞面の４隅部に外部受端子８を、下面となる開口面の４角部に表面実装用の実装端子９を有する。そして、水晶振動子１の底面に実装基板２の上面を対向させ、外部端子６と外部受端子８とを半田１０によって接続する「第２図（ａ）」。
【０００６】
通常では、例えば実装基板２の外部受端子８上にクリーム半田１０を印刷等によって塗布する「第２図（ｂ）」。実装基板２は第３図に示したパレット１１の縦横の穴部に収容される。そして、水晶振動子１を実装基板２上にチップマウンタによって順次に積層する。この場合、実装基板２の外部受端子８のいずれか２個を基準位置とし、画像処理によって位置決めして水晶振動子１を実装基板２上に搭載する。そして、高熱炉内を搬送して一体的に接合する。
【０００７】
【発明が解決しようとする課題】
（従来技術の問題点）しかしながら、上記構成の表面実装発振器では実装基板２の外部受端子８を基準位置として、画像処理によって位置決めすることに起因して次の問題があった。すなわち、外部受端子８上にはクリーム半田１０が塗布されるが、この場合、第４図に示したようにクリーム半田１０の印刷ずれによって外部受端子８を覆うことがある。
【０００８】
したがって、外部受端子８を正確に認識できず、中心位置やパレット内の傾き具合等の位置情報に誤情報をもたらし、搭載精度を悪化させる問題があった。
【０００９】
（発明の目的）本発明は位置決め精度を確実にした表面実装発振器を提供することを目的とする。
【００１０】
【課題を解決するための手段】
本発明は、水晶振動子１の外部端子６又は実装基板２の外部受端子８以外に少なくとも２個のマーカを水晶振動子１の底面又は外部受端子８の上面に設けた構成とする。これにより、基準位置を確実に認識できて位置決め精度を確実にする。以下、本発明の一実施例を説明する。
【００１１】
【実施例】
第１図は本発明の一実施例を説明する表面実装発振器の図で、特に実装基板の上面図である。なお、前従来例と同一部分には同番号を付与してその説明は簡略又は省略する。
表面実装発振器は、前述したように水晶振動子１の底面に実装基板２の上面を接合してなる。そして、ここでは実装基板２の底面に外部受端子８以外にマーカとして２個の基準端子１２を設ける。例えば両長辺の中央領域に設ける。
【００１２】
このような構成であれば、クリーム半田１０を外部受端子８上に塗布しても、基準端子１２を基準位置として確実に認識できるとともに、画像処理によって水晶振動子１と実装基板２との位置決めを確実にする。
【００１３】
なお、マーカとしての基準端子１２の位置は２箇所であればいずれの位置でもよい。また、マーカは水晶振動子１の底面に設けてあってもよい。そして、実装基板２は閉塞面を水晶振動子１の底面に接合したが、外部受端子８を開口面に実装端子９を閉塞面に設けて開口面を水晶振動子１の底面に接合してもよい。
【００１４】
【発明の効果】
本発明は、水晶振動子の外部端子又は実装基板の外部受端子以外に少なくとも２個のマーカを水晶振動子の底面又は実装基板の上面に設けたので、位置決め精度を確実にした表面実装発振器を提供できる。
【図面の簡単な説明】
【図１】本発明の一実施例を説明する表面実装発振器の図で、特に実装基板の上面図である。
【図２】従来例を説明する表面実装発振器の図で、同図（ａ）は組立て断面図、同図（ｂ）は実装基板の上面図である。
【図３】従来例を説明する表面実装発振器を収容したパレットの平面図である。
【図４】従来例の問題点を説明する実装基板の上面図である。
【符号の説明】
１  水晶振動子、２  実装基板、３  容器本体、４  水晶片、５  カバー、６外部端子、７  ＩＣチップ、８  外部受端子、９  実装端子、１０  クリーム半田、１１  パレット、１２  基準端子．
【図１】
2004222081.tif 000003
【図２】
2004222081.tif 000004
【図３】
2004222081.tif 000005
【図４】
2004222081.tif 000006
(57)【要約】【目的】省圧型アクティブフィルタを構成するブートコイル内に、転流ダイオードの逆回復時間の短絡電流阻止インダクタンスを配置したＰＦＣ装置。【構成】本発明に係わるＰＦＣ装置は、図１の基本構成図に示すように、１のＡＣ入力は、２のブリッジで整流され、３の小容量のフィルムコンデンサーで高周波成分をパスして、４のブートコイル、５の短絡阻止インダクター、６の転流ダイオード、７のトランジスター、８の電解コンデンサーにて、所定のＰＦＣ動作をして、９、１０に出力される。【選択図】    図１
2004222478.tif 000002
【特許請求の範囲】
【請求項１】
省圧型アクティブフィルタを構成するブートコイル内に、転流ダイオードの逆回復時間の短絡電流阻止インダクタンスを配置したＰＦＣ装置。
【請求項２】
省圧型アクティブフィルタを構成する、スウィチング素子のＯＮ幅の制御に加え、同スウィチング周期の制御を併用したＰＦＣ装置。
【発明の詳細な説明】
【０００１】
【産業上の利用分野】
本発明は、パソコンを始めとする多用な電化製品のＰＦＣ付加機能を、より安価に容易に実施できる手段を提供するものである。
【０００２】
【従来の技術】
転流ダイオードの逆回復時間の短絡電流阻止対策として、転流ダイオード自体の逆回復時間の短い品種の使用、直列に過飽和インダクターを配置する手段が考慮されてきたが、一長一短があった。また、省圧型アクティブフィルタは軽負荷時、出力電圧が上昇してしまうとの欠陥があった。
【０００３】
【発明が解決しようとする課題】
逆回復時間の短い品種の使用をするにしても、短絡電流のロス、障害の影響が低減するのみである。過飽和インダクターの配置は論理的に正論で有るが、部品点数が増える事、価格の上昇に繋がる。価格上昇を押さえて、効果的な短絡阻止の提供である。
【０００４】
【課題を解決する為の手段】
本発明は、ブートコイル内に、転流ダイオードの逆回復時間の短絡電流阻止対策としてのインダクタを配置する。
【０００５】
【作用】
短絡電流阻止対策としてのインダクターで有るから、ブートコイルと比べてその容量は非常に微小なものであるから、組み込みについての困難は、わずかなものである。また、別個にコイルを設置する為のスペースも節約できる。
【０００６】
【実施例】
以下、本発明の実施例を、図面を参照しながら説明する。
【０００７】
本発明に係わるＰＦＣ装置は、図１の基本構成図に示すように、１のＡＣ入力は、２のブリッジで整流され、３の小容量のフィルムコンデンサーで高周波成分をパスして、４のブートコイル、５の短絡阻止インダクター、６の転流ダイオード、７のトランジスター、８の電解コンデンサー、にて、所定のＰＦＣ動作をして、９、１０に出力される。所謂、省圧型アクティブフィルタと称される構成である。
【０００８】
図１において、７のトランジスターがＯＮからＯＦＦになった瞬間、６の転流ダイオードには出力電流が流れる。
次に、所定のタイミングで、７のトランジスターがＯＦＦからＯＮになると、６の転流ダイオードは、電圧が逆方向にも拘らず、ＯＮ状態がしばしの間継続し、出力側からの電流が７のトランジスターに流れ込んでしまう。このしばしの間を逆回復時間と称する。
【０００９】
出力側からの電流は、ロス電力であり、ノイズの発生源であり、回路素子に障害を与えるので、極力少なくさせなければならない。図１では、５の短絡阻止インダクターがその役を担っている。
しかし、前述したように、その部品コストと装置容積の関連から、低出力製品では、しばしば省かれている。
【００１０】
本発明は、短絡阻止インダクターをブートコイルに合成させてしまうものである。図２に合成ブートコイルの巻き線状況を示す。
図２において、第１の巻き線として、５のトロイダル磁性体に絶縁被服銅線が一様に巻きつけられている。巻き数は、仕様にもよるが５０回から２００回である。巻き始めを、１が第１巻き線始端、２が第２巻き線終端としてある。そして更に、２回から１０回程度の第２の巻き線を設けてある。
３が第２の巻き線始端、４が第２巻き線終端としてある。
【００１１】
この巻き線状況を等価的に図３に示す。図において１から２は、ブートコイル機能を有し、３から４は短絡阻止インダクターの機能を持つ。従来技術の短絡阻止インダクターは通常可飽和インダクターが使用されるが、本発明では飽和特性は使用しないので、コアロスが少ない。また、ブートコイルと比して微小なインダクタンスなので、ブートコイルからの出力電流の障害もわずかである。
図３の１及び２は、図１の４ブートコイルとして使用し、図３の２及び３は、図１の５短絡阻止インダクターとして使用する。
【００１２】
また、省圧型アクティブフィルタ回路は負荷が軽いとき、出力電圧が上昇してしまう欠陥がある。
その欠陥を補う為、ダミー負荷を付加したり、軽負荷になったときのみ負荷を付加する方法を取っていた。本発明者は以前、出力電圧の上昇を検知して、トランジスターのスウィッチングを停止すなわちＯＦＦを維持する手段について特許申請をしているが、スタンバイ時の軽負荷については、さらに、出力電圧の上昇と下降双方の検知をして、ＯＮタイミング周期の引き伸ばし等の手段とダミーを併用して無駄な電力の消費を低減することが望ましい。
【００１３】
即ち、出力電圧に連動して、トランジスターのスウィッチングレートを変化させる手段の付加である。図１のトランジスタの駆動は入力電圧、出力電圧、ウィッチング電流を検知して、ウィッチング周期一定で、ＯＮ期間の幅の制御が基本であった。
本発明では、ＯＮ期間の幅の制御に加えて、ＯＮ期間の周期を制御して、軽負荷時にも電力ロスを低減して対処出来る。
【００１４】
【発明の効果】
以上説明したように、本発明によれば、省圧型アクティブフィルタを構成するうえで、大きな困難であった短絡阻止機能を容易に解消出来るので、電力環境向上に大きく貢献できるものである。
また、ダミー負荷を低減して、電力ロスを減少させる。
【図面の簡単な説明】
【図１】本発明にかかわるＰＦＣ装置の構成例を概略的に示す図である。
【図２】本発明にかかわるＰＦＣ装置のブートコイルと短絡阻止インダクターの機能を合体した構造を概略的に示す図である。
【図３】本発明にかかわるＰＦＣ装置のブートコイルと短絡阻止インダクターの機能を合体した機能を等価的に示す図である。
【図１】
2004222478.tif 000003
【図２】
2004222478.tif 000004
【図３】
2004222478.tif 000005
(57)【要約】【課題】粘土細工と同じ感触で、自由に変形させて、その形状を維持できるようにした風船人形を提供する。【解決手段】風船ゴム２の袋内に、風船ゴム２の原形よりも大きくなるように小麦粉を充填し、風船ゴム２の内部を脱気した後、口元４を結束して封止する。風船ゴム２の表面に、プラスチックで構成された一対の目５を接着し、髪を模した毛糸の束８を、口元４を覆い隠すように接着する。該風船人形１全体を、思いのままにその形状を変化させることができるので、癒し効果のある人形として適している。【選択図】  図１
2004222981.tif 000002
【特許請求の範囲】
【請求項１】
風船ゴムの袋内に、袋の原形よりも大きくなるように、穀物粉末を充填し、脱気して、口元を封止したことを特徴とする風船人形。
【請求項２】
前記風船ゴム袋状物の表面に、プラスチックで構成された円筒状の一対の目が接着されており、該プラスチック製の目は、透明な皿状の円柱筒内に、円柱筒の直径よりも小さく薄いプラスチック製の有色円盤を封入せしめた構造をして、さらに、封止した袋状物の口元に、髪を模した毛糸の束が接着されている請求項１記載の風船人形。
【発明の詳細な説明】
【０００１】
【発明の属する技術分野】
本発明は、風船ゴムの袋内に穀物粉末を充填し、人形の形等をかたどった風船人形に関する。
【０００２】
【従来の技術】
従来、ゴム風船に液体、又は粘度のある流体を入れた袋状玩具、或は実公平５−８８５９９号のように砂等を入れ、形状の変化を楽しむ風船玩具が知られている。
【０００３】
【発明が解決しようとする課題】
従来の上記袋状玩具は、いずれも風船ゴムの中に液体、又は粘度のある流体を充填したものであり、その形状を変化させることはできるが、ゴムの弾性で元の形状に戻ってしまうため、変化させた形状を長時間保つことはできなかった。また、砂を入れた風船玩具は変化させた形状を長時間保つことはできるが、手触りの感触が硬く、重量が重く、またゴム膜が破袋した場合、子供の玩具としては安全性に限度があった。前記風船玩具はいずれも、袋状物表面に印刷されたキャラクターが描かれているが、袋状物素材が風船ゴムであることが外観から容易に分かってしまい、形状の変化がある程度予測できてしまう。
【０００４】
【課題を解決するための手段】
本発明は、風船ゴムの袋内に穀物粉末を袋の原形より大きくなるように充填し、脱気して、口元を封止することにより、任意に変化させた袋状物の形状を長時間保つことができる。
【０００５】
本発明は、前記袋状物表面に、プラスチックで構成された円筒状の一対の目を接着し、結束して封止した袋状物の口元を覆い隠すように、髪を模した毛糸の束を接着することで、袋状物素材が風船ゴムであることを容易に分からないようにすることができ、該キャラクターに触れてみようとする興味をわかせることが期待できる。
【０００６】
本発明は、前記穀物粉末として小麦粉等の粒度の細かい粉末を用いることにより、良好な感触、適度な重量感と破袋時の安全性の問題を解決している。
【０００７】
【発明の実施の形態】
風船ゴムの素材の厚さは、通常０．３〜１ｍｍ程度のものである。該袋状物に小麦粉を充填し、内部を脱気した後、口元を結束して封止する。小麦粉の充填量は、ゴム膜の弾性力が常時作用するように、袋状物の原形よりも大きくなるような量とすることが必要である。袋状物の変化させた形状を維持させるため、袋状物内部の脱気は十分に行うことが必要である。また、風船ゴムの表面にプラスチックから構成された一対の目を接着する。該プラスチック製の目は、直径１０ｍｍ、厚さ３ｍｍ程の透明な皿状の円柱筒内に、直径６ｍｍ、厚さ０．５ｍｍ程のプラスチック製の有色円盤を入れ、円柱筒は封止する。さらに結束して封止した袋状物の口元を覆い隠すように、髪を模した毛糸の束を接着することにより、人形としての立体感と親近感が生み出される。
【０００８】
【実施例】
以下、本発明に係わる風船人形について図面に従って説明する。図１は、本発明の実施形態に係わる風船人形１の正面図である。
【０００９】
図２は、該風船人形の原形の実施例を示す一部切欠斜視図である。同風船人形１は、風船ゴム２内に小麦粉３を充填し、内部を脱気した後、口元４を結束してできている。小麦粉３の充填量は、風船ゴム２の内容積よりも約５０％以上多くなる量とすることが必要である。その結果、風船ゴム２を自由に伸ばしたり、縮めたり、指で押したりして、任意の形状に変化させ、その形状を長時間維持させることができる。
【００１０】
図３に示すように、風船ゴム２の表面に、プラスチックで構成された一対の目５を接着する。このプラスチック製の目５は、直径１０ｍｍ、深さ３ｍｍ程の皿状の透明な円柱筒６内に、直径６ｍｍ、厚さ０．５ｍｍ程のプラスチック製の有色円盤７を入れ、円柱筒６は封止する。その結果、円柱筒６内に封入された有色円盤７が、風船人形１の角度の変化に伴い、円柱筒６内を黒目のように動くことにより該風船人形にユーモラスな表情を与えることができる。有色円盤７の色は黒色が一般的であるが、特に限定するものではなく、また蛍光色にすることで光に反応し、より一層面白みが増すことになる。
【００１１】
さらに、結束して封止した風船ゴム２の口元４に、髪を模した毛糸の束８を、その中心で結束した部分で、口元４を覆い隠すように接着することにより、袋状物素材が風船ゴムであることを容易に分からなくすることができ、素材感に興味を抱かせ、また髪型を自由に変化させることもできることからキャラクターとして親近感を持たせるものになる。
【００１２】
図４は、風船人形１を真上から手のひらで押して、その形状を変化させた状態である。このように、風船人形１を任意の形状に変化させることができると同時に、目５と髪を模した毛糸の束８の表情の変化も楽しむことができる。
【００１３】
【発明の効果】
本発明の風船人形によれば、限り無く粘土細工に近い軟らかな感触を持ち、該風船人形を自由に任意の形状を作って楽しむことができ、安全な幼児の創作玩具としてばかりでなく、さらに大人も個人的な癒しと、ストレス解消に利用することができる。
【００１４】
【図面の簡単な説明】
【図１】本発明による風船人形の実施例を示す正面図である。
【図２】本発明による風船人形の原形の実施例を示す一部切欠斜視図である。
【図３】本発明による風船人形を変形させた状態を示す側面図である。
【図４】同風船人形をさらに他の形状に変化させた状態を示す平面図である。
【符号の説明】
１  風船人形
２  風船ゴムの袋状物
３  小麦粉
４  風船ゴムの口元
５  プラスチック製の目
６  プラスチック製の円柱筒
７  プラスチック製の有色円盤
８  毛糸の束
【図１】
2004222981.tif 000003
【図２】
2004222981.tif 000004
【図３】
2004222981.tif 000005
【図４】
2004222981.tif 000006
(57)【要約】【課題】今までは女性が事故等により、異性との性交渉により体液が体などへ侵入してもシャワーのある場所まで行くか行っても、体の奥からまでは除去することは出来なかった。【解決手段】微穴をもつ筒の中に毛細管吸引体を設け、筒の表面にくぼみを設けることで体液がくぼみに集まり、毛細管吸引力の力とそれを促進する低周波振動の力でこのことをより効率的に行う事が出来た。【特許請求の範囲】
【請求項１】
振動するバイブレイターにおいて
（イ）  毛細管吸引体を内蔵した筒を設ける事
（ロ）  筒と膣壁間の液体内容物が溜まり易くする窪みを設ける事
（ハ）  窪みと吸引体とを結ぶ毛細管微穴を設ける事
（ニ）  毛細管吸引を促進する低周波振動機能を設ける事
（ホ）  女性の膣括約筋を利用したスイッチング回路を設ける事
【発明の詳細な説明】
【０００１】
本発明は女性の膣が持っている本来の新陳代謝能力（侵入した異物を排泄する能力）の衰えを毛細管吸引力とそれを促進する低周波振動の力で補おうとする事を目的に考案された発明である。日常の生活において女性の膣には様々な原因から異物は侵入するものである。これらの異物は女性の膣が本来持っている新陳代謝能力によって肺の痰排泄機能のように下り物等の形で外へ排泄されるものである。しかし加齢等の原因でこの機能が衰えてくるとこの異物は女性器の中に留まり異臭、下り物の増加等の様々な不都合をもたらすものである。今までも病院などには洗浄液を用いった膣洗浄機はあった。しかし通院しなくてはその処置を受ける事はできながったし、洗浄液その物が一つの「異物」であると言える事もあり、必ずしも本来の目的にかなうものではながった。この発明はこのような事を何の「異物」も用いる事なしに衛生的に、しかも個々の人が携帯可能なコンパクトなサイズの機器でその目的を達成しようという物である。例えば女性に起き得る事故などによる望まぬ異性交渉の場合、女性の膣の中に残った異性の体液を例に取ると今まではシャワなどで洗い流すしか他に有効な方法はながった。しかしこの機械を用いれば膣中に残っている内容物を殆ど完璧に吸い取る事でより確実にその目的（避妊等）を達成することが期待出来るのである。その例の説明は、この機械を膣に挿入すると膣の中にある異物が膣壁と接する機械の筒の表面に設けられた窪みに集まり、筒に設けられた微穴を通り毛細管吸引体へと毛細管現象により吸いこまれるのである。ここで本体の振動スイッチが動作すると振動が生まれ、その振動によって毛細管吸引力はより促進され、膣の中の内容物をより確実に吸い取る事が出来るのである。これによりこの異物が受胎可能な異物の場合はその数を減らす事が出来る事からこの機械により望まぬ妊娠の確率をかなり減らす事が出来るのである。
【０００２】
【本発明が属する技術分野】
本発明は毛細管吸引力と低周波振動の力で女性の膣を洗浄しようとする技術に関するものである。
【０００３】
【従来の技術】
従来は病院などで特殊な洗浄液などを用いて医師が外科的に行う洗浄機と称する物はあった。しかし本発明のように毛細管吸引力と低周波振動を組み合わせて行うものはながった。
【０００４】
【発明が解決しようとする課題】
本発明は低周波振動、毛細管微孔を持つ筒、この筒の中に内蔵されている毛細管吸引体を利用し女性の膣の中の細かい異物を取り除きその洗浄をより気軽に行おとするものである。
【０００５】
【発明を解決するための手段】
膣の中に挿入可能なサイズの筒を設ける。この筒に液体が通れる微孔を設ける。筒の中に液体を吸引する吸引体を設ける。この筒に振動する振動部をもうける。女性の括約筋でスイッチのＯＮ，ＯＦＦを行えるスイッチをもうける。この機器を利用し、女性が膣を洗浄する必要性を感じた時、女性は筒の部分を膣内に挿入する。女性の健康の一つのバロメーターである括約筋を利用しスイッチをＯＮにすると振動が生まれ、膣に振動が伝わる。振動によって膣の中の異物、汚れなどが微動を始め、筒にもけられた窪みに集められる。汚れ異物などは窪み、微孔、吸引体へと毛細管吸引の力により吸いこまれる。一定の時間後筒を取り出し、カドリッチ状の吸引体を取って捨てる事でその目的を達成できるのである。スイッチのＯＮに要する力を一定の模範的な括約筋の力にする事で女性はそのスイッチＯＮ，ＯＦＦを繰り返す事で括約筋鍛錬の目的も達成できるのである。
【０００６】
【発明の実施の形態】
この機器の多くの利用範囲の中で事故により女性が望まぬ性交渉持った場合の事を例に説明する。図１の筒状の部分Ｈを膣の中へ挿入する。女性が括約筋を閉めることで力が生まれ、その力がスイッチＥに伝わりスイッチがＯＮになり、設けられた低周波振動部Ｆが作動し、低周波振動が生まれる。振動は膣に伝わる事で膣の中に残っている液体の内容物や細かい汚れ等が微動を始める。筒Ｈに設けられた窪みＢは膣壁と筒との間の空間になり、内容物の溜まり場となる。溜まった内容物は筒に設けられた微孔Ａを通り吸引体Ｃへと吸い込まれる。この事を必要に応じて繰り返す事により異物を他のどんな方法より簡単に取り除く事が出来るのである。
【０００７】
【発明の効果】
本発明を利用しますと女性が事故などで望まぬ性交渉を持った場合でもこの機器が携帯可能で何時、何処でも利用できる事から完璧ではないにしてもその異物の数を減らす事によりどんな方法よりすばやく妊娠の確率を低くする利点を得る事が出来るのである。女性の膣の中の汚れや、異物は異臭の元であり、この機器を普段利用する事でその異臭の元を取り除く事も出来る事から女性に大いに役立つ事が出来るのである。また女性の出産などから来る括約筋が衰えもこの機器のスイッチのオン、オフ機能を活用し、繰り返し訓練する事でその回復か期待でき、その衰えがもたらす尿失禁や性生活の不忠実さを克服する事が出来るのである。
【図面の簡単な説明】
【図１】平面図である。
【図２】筒の部分の拡大図である。
【符号の説明】
Ａ  微穴
Ｂ  くぼみ
Ｃ  吸引体
Ｄ  電源
Ｅ  スイッチ
Ｆ  振動モーター
Ｇ  空間
Ｈ  筒
Ａ．Ｂ  微穴とくぼみ
【図１】
2004222988.tif 000002
【図２】
2004222988.tif 000003
(57)【要約】【課題】かまぼこの鮮度を保持するためにかまぼこ板よりマイナスイオンを発生させる。【解決手段】かまぼこ板の表面にトルマリンを含有した樹脂を塗布、噴霧又は浸透等の処理をすることによりトルマリンから発生する微弱電流によってかまぼこ板およびかまぼこに含まれる水分と反応しマイナスイオンを発生するのを特徴とするかまぼこ板。【選択図】      図１
2004222590.tif 000002
【特許請求の範囲】
【請求項１】
かまぼこ板の表面にトルマリンを含有した樹脂を塗着しマイナスイオンを発生することを特徴とするかまぼこ板。
【発明の詳細な説明】
【０００１】
【発明が属する技術分野】
本発明は、かまぼこ板よりマイナスイオンを発生させ抗菌作用によるかまぼこの鮮度保持を目的として処理したかまぼこ板に関するものである。
【０００２】
【従来の技術】
特開平１１−０３２７３５広報は、かまぼこ板の表面にカテキンの水溶液を塗着することを特徴とするかまぼこ板の抗菌処理方法。複数の板材を接着してなるかまぼこ板において、該板材を接着する接着剤中にカテキンを含ませたことを特徴とするかまぼこ板の抗菌処理方法。かまぼこ板の表面にヒノキチオールの溶液を塗着することを特徴とするかまぼこ板の抗菌処理方法。複数の板材を接着してなるかまぼこ板において、該板材を接着する接着剤中にヒノキチオールを含ませたことを特徴とするかまぼこ板の抗菌処理方法を提供している。
【０００３】
【発明が解決しようとする課題】
本発明は、かまぼこ板よりマイナスイオンを発生させることによりかまぼこの鮮度を保持させようとしてなされたものである。
【０００４】
【課題を解決するための手段】
上記課題を解決するために、本発明は下記のかまぼこ板の処理方法を提供するものである。
【０００５】
本発明は、かまぼこ板の表面にトルマリンを含有した樹脂を塗着しマイナスイオンを発生することを特徴とするかまぼこ板を提供するものである。
【０００６】
【作用】
トルマリンを含有した樹脂をかまぼこ板の表面に塗布、噴霧又は浸透等をした場合、トルマリンから発生する微弱電流によってかまぼこ板やかまぼこに含まれる水分と反応しマイナスイオンを発生する。
【０００７】
【発明の実施の形態】
本発明においては、かまぼこ板の表面にトルマリンを含有した樹脂を塗布、噴霧又は浸透等の処理をした後、乾燥することによりトルマリンが付着する。
【０００８】
【実施例】
次に、本発明の実施例を添付図面に従って説明する。一例としてアクリル樹脂エマルジョン１重量部とトルマリンパウダー０．１重量部とを混合し、この混合物をハケ、スプレーガン、ローラー等を用いてかまぼこ板１の表面２部に塗り、或いは該混合物中に表面２部を漬けるのである。一例としてスプレーガンの場合、塗布直後に塗装面に塗料が浮く程度の量をスプレーする。表面２を処理した後、温風等により乾燥させる。
【０００９】
【発明の効果】
以上説明したように、本発明においては、トルマリンを含有した樹脂によりかまぼこ板の表面を処理するようにしたため、トルマリンから発生する微弱電流によってかまぼこ板やかまぼこに含まれる水分と反応しマイナスイオンを発生する。上記実施例においてイオンカウンタにより測定すると最大１５０６個／ｃｃ平均６８３個／ｃｃのマイナスイオンの発生が見られた。マイナスイオンによるかまぼこの鮮度保持効果、酸化防止効果、消臭効果がある。
【図面の簡単な説明】
【図１】かまぼこ板の斜視図である。
【符号の説明】
１  かまぼこ板
２  表面
【図１】
2004222590.tif 000003
(57)【要約】【課題】原料大豆を加熱処理および粉砕処理したきな粉を全量使用して、豆腐様の食品を得る。【解決手段】きな粉およびペクチン又はジュランガムを水に混合して加熱した後、牛乳又は乳製品を加え、さらに乳酸カルシウム水溶液を添加し、この混合液を加熱溶解した後、ゲル状になるまで冷却する。【特許請求の範囲】
【請求項１】
きな粉とペクチン又はジュランガムとを水に混合して加熱した後、牛乳又は乳製品を加え、さらに乳酸カルシウム水溶液を添加し、この混合液を加熱溶解した後、ゲル状になるまで冷却して得る熱不可逆性食品の製造方法。
【請求項２】
きな粉とペクチン又はジュランガムとを水に混合して加熱した後、牛乳又は乳製品を加え、さらに乳酸カルシウム水溶液を添加し、この混合液を加熱溶解した後、ゲル状になるまで冷却して得られる豆腐様の熱不可逆性食品。
【発明の詳細な説明】
【０００１】
【発明の属する技術分野】本発明は、きな粉と牛乳又は乳製品を主原料とした豆腐様の熱不可逆性食品およびその製造方法に関する。
【０００２】
【従来の技術】大豆を１０倍加水して磨砕した呉を加熱してたんぱく質を抽出し、おからを除去した豆乳に、硫酸カルシウムや苦汁などの凝固剤でゲル状に固めたものが豆腐である。
【０００３】
【発明が解決しようとする課題】大豆からおからを除去した豆乳から豆腐を作るのではなく、大豆全体を使用して豆腐様の熱不可逆性の食品を得る。
【０００４】
【課題を解決するための手段】上記目的を達成するために、本発明の豆腐様の熱不可逆性食品の製造方法においては、きな粉およびペクチン又はジュランガムを水に混合して加熱した後、牛乳又は乳製品を加え、さらに乳酸カルシウム水溶液を添加し、この混合液を加熱溶解した後、ゲル状になるまで冷却して得る。
【０００５】
【発明の実施の形態】きな粉（５〜１０重量部）、ゲル化剤ペクチン又はジュランガム（０．１〜０．５重量部）の各原料を水（５０〜６０重量部）に加えて混合し、９０℃に加熱した後、牛乳又は乳製品（２０〜５０重量部）を加え、この混合液に約５０℃の水（５〜１０重量部）に溶解した乳酸カルシウム（０．３〜１．０重量部）を添加して均一に混合し、８０℃〜８５℃に加熱溶解した後、ゲル状になるまで冷却する。
【０００６】ごま（５〜１０重量部）、きな粉（５〜１０重量部）、ゲル化剤ペクチン又はジュランガム（０．１〜０．５重量部）、水（５０〜６０重量部）に加えて混合し、９０℃に加熱した後、牛乳又は乳製品（２０〜５０重量部）を加え、この混合液に約５０℃の水（５〜１０重量部）に溶かした乳酸カルシウム（０．３〜１．０重量部）を添加して均一に混合し、８０℃〜８５℃に加熱溶解した後、ゲル状になるまで冷却する。
【０００７】
【発明の効果】本発明は、原料大豆を加熱処理および粉砕処理したきな粉を全量使用して、豆腐様の食品を得る事ができ、しぼりかす等の廃棄物を発生させないことを特徴とする。
(57)【要約】【課題】本発明では、従来の麺の鮮度保持に必要な合成化学保存料やその他色々な添加物が使用されていて常食するには健康面での課題があった又、風味や食感は化学的な食味で自然素材の特徴が薄れ風味や食感共に課題があった。【解決手段】本発明の大きな特徴として、竹の成分にある抗菌作用と海洋深層水の清浄性で添加物使用しなくても商品の酸化、劣化を防ぐ事により商品の長期保存が可能となり、そしてひじき粉、米粉、ソルガムを使用する事により健康面でも安全で安心な健康食品として常食でき自然治癒力を高めると同時に自然素材の風味や旨みを生み出し２１世紀の健康社会の大きな解決手段となる。【特許請求の範囲】
【請求項１】
小麦粉に、竹粉、ひじき粉をミキシングしそれに尾鷲海洋深層水（三木崎沖５ｋｍ尾鷲海底谷水位３５０ｍより取水）と全卵を加えて混練した麺生地と和風生らーめん麺の製造方法。
【請求項２】
ソルガムに、米粉、竹粉。ひじき粉をミキシングしそれに尾鷲海洋深層水（三木崎沖５ｋｍ尾鷲海底谷水位３５０ｍより取水）を加えて混錬した、麺生地と生そばの製造方法。
【請求項３】
小麦粉、米粉、竹粉、ひじき粉をミキシングしそれに尾鷲海洋深層水（三木崎沖５ｋｍ尾鷲海底谷水位３５０ｍより取水）を加えて混錬した麺生地とうどん麺の製造方法。
【発明の詳細な説明】
【０００１】
【発明が属する技術分野】
本発明は、らーめん麺やそば・うどん麺の麺生地とその麺を製造する方法に関する。
【０００２】
【従来の技術】
中華生麺等は、かん水を使用する事が定義付けられているのが現状で麺の特徴を出す技術は従来の方法で近年では深層水などを添加した麺の製造もされている。そばやうどん麺などの製法技術では波動水や電解水などを使用する事により麺にに特徴を出す製造方法である。
【０００３】
【発明が解決しようとする課題】
一般的に生産されている麺生地の麺は、合成化学添加物（保存料・着色料等）を使用した方法で製造されていたため健康面での課題があったのと、麺の俗に云う「こし」などが伸び易く最後まで「腰を」味わうことに課題があった。
【０００４】
【課題を解決するための手段】
請求項１の本発明は、小麦粉に竹粉をブレンドする事により竹の持つ抗酸化により商品の酸化・劣化を防ぐことができ保存料等の合成添加物を使用しなくてもよくなり先ず健康面での解決となる。又ひじきや海洋深層水を混入する事により従来の中華生麺では味わえなかった麺の「こし」等の食感と旨みが特徴でその上鉄分やカルシウム・マグネシウムなどのミネラル成分も補給できるうえ自然食品として健康面での課題も解決する。請求項２の本発明は、健康面での課題解決に竹粉やひじき、海洋深層水を使用するのは請求項１と同じあるが、小麦粉を使用せずにソルガムと米粉をブレンドすることによりその相乗効果でそば麺の「こし」など従来にない食感や旨みを創出させることが出きる。請求項３の本発明は、小麦粉に米粉や竹粉、ひじき粉そして海洋深層水をブレンドすることにより商品の酸化・劣化が防げる事により合成保存料等の添加物を使用せずに済み健康面は勿論のこと、麺の「こし」や食感等の課題を解決する。
【０００５】
【実施例１】
麺生地の原材料として、重量比小麦粉１００に対して竹粉０．２、ひじき粉０．２を混入しミキシングする、そして尾鷲海洋深層水を３０％と全卵１０個加えてこれを練り合わせて麺生地を作りそれを製麺機にて延ばし、らーめん用細切りにしてらーめん麺として製造する。
【０００６】
【実施例２】
麺生地の原材料として、重量比ソルガム粉１００に対して米粉５０、竹粉０．２、ひじき粉０．２を混入しミキシングする、そして尾鷲海洋深層水を３０％加えて練り合わせて麺生地を作りそれを製麺機にて延ばし、そば用細切りにしてそば麺として製造する。
【０００７】
【実施例３】
麺生地の原材料として、重量比小麦粉１００に対して米粉５０、竹粉０．２、ひじき粉０．２をミキシングしそれに尾鷲海洋深層水を３０％加えこれを練り合わせて麺生地を作りそれを製麺機にて延ばしうどん用太切りにしてうどん麺として製造する。
【０００８】
【発明の効果】
竹の抗菌作用により天然物防腐材として合成化学保存料の代替となり１ヶ月の鮮度保持効果が得られ健康面での効果が素晴らしく又、麺の「こし」とか食感はひじきと海洋深層水のミネラル成分（カルシウム・マグネシウム等）の相乗効果で俗に言う「伸びない」麺となりそれに旨みが加わり従来のかん水使用の中華生麺との大きな差が生じた、そしてすべて天然素材であり安心・安全な食品としての発見と発明効果が出た。
【０００９】
そば粉の替わりにソルガムと米粉やひじきを使用した事により従来のそば粉使用と比べてアレルギー物質が入っておらずアレルギー体質の方でも安心して食を楽しめるうえ「こし」とか食感や食味も向上した。竹の抗酸化効果で保存料等の添加物未使用であり又、海洋深層水等のミネラルの補充など健康補助食材として安全・安心にな食品としての発明効果が出た。
【００１０】
竹の抗菌作用による効果で合成化学保存料使用しなくても鮮度保持、品質保持が可能となる。又米粉をブレンドする事により食味を増やす事が出来た。更に海洋深層水やひじき粉等のミネラルバランスで味に「こく」とまろやかな風味と食感にも効果があった。
(57)【要約】【課題】この発明は、読み仮名の分からない漢字、意味の分からない語句に出会った際、その場でカメラ付き携帯電話を利用し撮影しメールで画像を解析コンピューターへ送信する。その送信されてきたカメラ映像をもとに自動的に解析し判明した情報を送信元に返信し提供するように構成された一連のコンピューターシステムに関するものである。【解決手段】読み仮名の分からない漢字、意味の分からない語句（２）をその場でカメラ付き携帯電話（１）を利用して撮影する。撮影した画像を解析コンピューター（４）へ回線を使いメールで撮影したカメラ映像を送信（３）、解析コンピューター（４）では、撮影したカメラ映像をもとに解析し判明した情報を送信元へすぐさま折り返し知りたい情報を返信（５）し提供する。カメラ付き携帯電話（１）に知りたい情報が表示（６）される。【選択図】  図１
2004222217.tif 000002
【特許請求の範囲】
【請求項１】
カメラ付き携帯電話を利用して読み仮名の分からない漢字、意味の分からない語句をその場でカメラ付き携帯電話で撮影しメールで解析コンピューターへ送信、その送信されてきたカメラ映像をもとに自動的に解析し判明した情報を送信元へ返信し提供する一連のコンピューターシステム
【発明の詳細な説明】
【０００１】
【産業上の利用分野】
この発明は、読み仮名の分からない漢字、意味の分からない語句に出会った際、その場でカメラ付き携帯電話を利用し撮影しメールで画像を解析コンピューターへ送信する。その送信されてきたカメラ映像をもとに自動的に解析し判明した情報を送信元に返信し提供するように構成された一連のコンピューターシステムに関するものである。
【０００２】
【従来の技術】
従来、読み仮名の分からない漢字、意味の分からない語句に出会った際、漢和辞典ないし国語辞典で調べ該当する項目を探し出す、いわゆる辞書を引くという動作の為、辞典が手元に無ければならず、又、辞書を引く時間と労力がかかっていた。
【０００３】
【発明が解決しようとする課題】
したがって、読み仮名の分からない漢字、意味の分からない語句に出会った際、その場でカメラ付き携帯電話で撮影し、その画像をメールで解析コンピューターへ送信する、その送信されてきたカメラ映像をもとに解析し判明した情報をすぐさま送信元へ折り返しメールで返信し提供する。送信元のカメラ付き携帯電話にその情報が画面上に表示される。本発明は、こうした読み仮名や意味が分からず困っている方、辞典で調べる時間と労力の効率化を望んでいる方の強い要望にこたえるために発明されたものである。
【０００４】
【課題を解決するための手段】
いま、その構成を説明すると、
（イ）読み仮名の分からない漢字、意味の分からない語句（２）をその場でカメラ付き携帯電話（１）を利用して撮影する。撮影した画像を解析コンピューター（４）へ回線を使いメールで撮影したカメラ映像を送信（３）、解析コンピューター（４）では、撮影したカメラ映像をもとに解析し判明した情報を送信元へすぐさま折り返し知りたい情報を返信（５）し提供する。
（ロ）カメラ付き携帯電話（１）に知りたい情報が表示（６）される。
【０００５】
【発明の実施の形態】
次に本発明の作用を述べると、読み仮名の分からない漢字、意味の分からない語句（２）に出会った際、漢和辞典ないし国語辞典で調べ該当項目を探し出す、いわゆる辞書を引くという動作をカメラ付き携帯電話（１）で読み仮名の分からない漢字、意味の分からない語句（２）を撮影して解析コンピューター（４）にメールで撮影したカメラ映像を送信（３）するという手軽で簡単な操作でそれでいてすぐさま知りたい情報が手元のカメラ付き携帯電話（１）に知りたい情報が表示（６）される。
【０００６】
【実施例】
本や新聞を読んでいて読み仮名の分からない漢字、意味の分からない語句（２）に出会った際、その場でカメラ付き携帯電話（１）を利用してその漢字や語句を撮影する。又、看板や大きな文字でも画面枠内に撮影できれば可能です。その画像をメールで解析コンピューター（４）へ撮影したカメラ映像を送信（３）、そのカメラ映像をもとに解析し判明した情報をすぐさま送信元へ折り返しメールで知りたい情報を返信（５）し情報提供する。
送信元では、カメラ付き携帯電話（１）に漢字の読み仮名や語句の意味など知りたい情報が表示（６）される。
【０００７】
【発明の効果】
このシステムでは、読み仮名の分からない漢字、意味の分からない語句（２）に出会った際、辞書を引く気が無ければ一生分からずじまいのことが、カメラ付き携帯電話（１）で撮影しメールで撮影したカメラ映像を送信（３）するだけでそのカメラ付き携帯電話（１）に読み仮名や意味などの知りたい情報が表示（６）される。辞典を携帯する必要も無く辞書を引く労力と時間が軽減される。そして、使用するたびに知識が向上し生活に役立ちます。
【図面の簡単な説明】
【図１】本発明のシステム構成図
【符号の説明】
１は、カメラ付き携帯電話
２は、読み仮名の分からない漢字、意味の分からない語句
３は、撮影したカメラ映像を送信
４は、解析コンピューター
５は、知りたい情報を返信
６は、知りたい情報が表示
【図１】
2004222217.tif 000003